(57)【要約】【課題】各図柄の視認性を確保する。【解決手段】遊技者による所定の停止操作がなされた時に前記各リールの回転を個別に停止させることで、各リール上に停止された図柄により構成される図柄組み合わせを遊技結果として表示する遊技を実行可能な遊技機において、複数種類の図柄の何れも回転方向寸法が第１の値以上となり、且つ、幅方向寸法が第２の値以上となるように設計され、所定の図柄には、回転方向端部に回転方向寸法を計測する基準となる計測基準部、又は／及び、幅方向端部に幅方向寸法を計測する基準となる計測基準部がデザインとして施されていることを特徴とする。【選択図】図６
2017213056.tif 000002
【特許請求の範囲】
【請求項１】
回転方向に沿って配設された複数種類の図柄を備え、且つ回転方向と直交する幅方向に並列配置された回転自在な複数のリールを備え、
遊技者による所定の開始操作がなされた時に前記複数のリールを回転させるとともに、遊技者による所定の停止操作がなされた時に前記各リールの回転を個別に停止させることで、前記各リール上に停止された前記図柄により構成される図柄組み合わせを遊技結果として表示する遊技を実行可能な遊技機において、
前記複数種類の図柄の何れも回転方向寸法が第１の値以上となり、且つ、幅方向寸法が第２の値以上となるように設計され、
所定の図柄には、回転方向端部に前記回転方向寸法を計測する基準となる計測基準部、又は／及び、幅方向端部に前記幅方向寸法を計測する基準となる計測基準部がデザインとして施されていることを特徴とする遊技機。
【請求項２】
前記計測基準部は、
前記所定の図柄のうちの一部のデザインを、当該一部のデザインの中心線を中心に非対称となるように構成した部分であることを特徴とする請求項１に記載の遊技機。
【発明の詳細な説明】
【技術分野】
【０００１】
本発明は複数の図柄を描いたリールを回転させることにより表示態様を変動させるようにした回胴式遊技機に関する。
【背景技術】
【０００２】
遊技者による所定の開始操作がなされた時に、周方向（回転方向）に沿って複数の図柄を配列した複数の環状リールを夫々回転させるとともに、遊技者による所定の停止操作がなされた時に各環状リールの回転を個別に停止させることで、停止した時に所定位置に並んだ各環状リール（テープ）上の特定図柄により構成される図柄組み合わせを遊技結果として表示する遊技を実行可能なスロットマシンが知られている（例えば特許文献１）。
【先行技術文献】
【特許文献】
【０００３】
【特許文献１】特開２０１６−７７７４８公報
【発明の概要】
【発明が解決しようとする課題】
【０００４】
上述した遊技機では、各リールが変動する期間において、各図柄が概ね識別可能であることを要する。しかし、図柄の形状によっては、各リールが変動する期間において、識別が困難である（図柄の視認性が低下する）という不都合が生じ得る。特に、図柄の大きさが小さすぎる場合、上述した不都合が顕在化し易い。以上の事情を考慮して、本願発明は、図柄の視認性を確保することを目的とする。
【課題を解決するための手段】
【０００５】
上記目的を達成するため、請求項１に係る遊技機は、回転方向に沿って配設された複数種類の図柄を備え、且つ回転方向と直交する幅方向に並列配置された回転自在な複数のリールを備え、遊技者による所定の開始操作がなされた時に複数のリールを回転させるとともに、遊技者による所定の停止操作がなされた時に各リールの回転を個別に停止させることで、各リール上に停止された図柄により構成される図柄組み合わせを遊技結果として表示する遊技を実行可能な遊技機において、複数種類の図柄の何れも回転方向寸法が第１の値以上となり、且つ、幅方向寸法が第２の値以上となるように設計され、所定の図柄には、回転方向端部に回転方向寸法を計測する基準となる計測基準部、又は／及び、幅方向端部に幅方向寸法を計測する基準となる計測基準部がデザインとして施されていることを特徴とする。
請求項２に係る遊技機は、計測基準部は、所定の図柄のうちの一部のデザインを、当該一部のデザインの中心線を中心に非対称となるように構成した部分であることを特徴とする。
【発明の効果】
【０００６】
本発明では、図柄の視認性が確保可能となる。
【図面の簡単な説明】
【０００７】
【図１】遊技機の一例の正面図である。
【図２】キャビネットの内部構造の一例を示す図である。
【図３】前面扉の裏面（遊技機の内部側の面）の一例の正面図である。
【図４】本実施形態の各リールに配列された各図柄を示す図である。
【図５】図柄表示領域を説明するための図である。
【図６】計測基準部を説明するための図である。
【図７】本発明の一実施形態に係るリールテープの平面図である。
【図８】図柄間スペースを説明するための図である。
【図９】（ａ）（ｂ）は図柄の一部を切除する具体例を説明するための図である。
【図１０】（ａ）（ｂ）は図柄の一部を切除する他の具体例を説明するための図である。
【図１１】図４に示したリールテープ上の図柄の要部拡大図である。
【図１２】（ａ）（ｂ）及び（ｃ）は本発明の計測基準部を備えた図柄の一例としてのリプレイ図柄を示した図、その要部拡大図、及び計測基準部を備えないリプレイ図柄を縮小した状態を示す図である。
【発明を実施するための形態】
【０００８】
以下、本発明を図面に示した実施の形態により詳細に説明する。
＜遊技機の構造＞
図１〜図３を用いて、一実施形態に係る遊技機１の構造について説明する。図１は、遊技機１の一例の正面図である。遊技者は、遊技媒体（例えばメダルや遊技球）を用いて遊技機１で遊技を行う。本実施形態においては、遊技媒体としてメダルが使用される遊技機１（パチスロ機）を例示する。
【０００９】
遊技機１は、正面側（遊技者側）に開口を有する箱状のキャビネット２と、前面扉３とを含んで構成される。図２は、キャビネット２の内部構造の一例を示す図である。また、図３は、前面扉３の裏面（遊技機１の内部側の面）の正面図の一例である。図２に示すように、キャビネット２には蝶番機構２ａが設けられる。前面扉３は、蝶番機構２ａにより、キャビネット２の開口を開閉可能に軸支される。
【００１０】
前面扉３の正面上部には、液晶表示装置３０が配置される。
前面扉３の周縁側には、複数（図１の例では１４個）の筐体ランプ５が設けられる。各筐体ランプ５は、例えば、発光ダイオード（Light Emitting Diode）などの発光体と、当該発光体を覆う光透過性のレンズとから構成される。筐体ランプ５は、遊技機１における各演出に応じた態様で発光する。
前面扉３には、腰部パネル６が設けられる。腰部パネル６は、遊技機１の名称などが描かれる。また、遊技機１（前面扉３）の内部には、腰部パネル６を照射する発光体が設けられる。腰部パネル６を照射する発光体としては、例えば、発光ダイオードや冷陰極管が採用される。また、腰部パネル６の下側には、メダルを貯留する受皿ユニット７が設けられる。受皿ユニット７は、貯留したメダルを遊技者が自由に取り出すことができるように設けられる。
【００１１】
前面扉３には、メダルが投入される開口を有するメダル投入部８と、遊技機１の内部からのメダルが排出されるメダル払出口９とが設けられる。メダル投入部８から規定枚数（３枚）のメダルが投入されると、遊技が開始可能になる。規定枚数は、遊技の状態に応じて設定される。メダル払出口９から排出されたメダルは、受皿ユニット７に貯留される。
前面扉３の正面の中央側には、パネル１０が設けられる。パネル１０の中央には、略矩形状の表示窓１１が形成される。表示窓１１からは、キャビネット２の内部の複数のリール１２（１２Ｌ１２Ｃ、１２Ｒ）を視認することができる。
【００１２】
各リール１２は、略円筒状のドラム部と、ドラム部の外周面に装着された帯状のシート部材であるリールテープ５０と、を含んで構成される。リールテープ５０は、光透過性であり、複数種類の図柄が描かれている。つまり、ドラム部周面に直接図柄が描かれている訳では無く図柄を描いたリールテープが貼着されているのであるが、本明細書におけるリール１２の概念はドラム部とリールテープを含むものである。
各リール１２は、回転可能に設けられ、図２に示すように、相互に隣り合うように水平方向に配列される。具体的には、各リール１２は、回転軸が同一の直線上に位置するように配列される。図示しないステッピングモーターがリール１２の各々に設けられ、各リール１２は、各ステッピングモーターにより回転する。
【００１３】
図４は、本実施形態の各リール１２に配列された各図柄を示す図である。図４に示すように、複数のリール１２の各々の外周は、２１個のコマに区分される。図４に示すように、各コマには１個の図柄Ｆが描かれている。本実施形態では、大サイズの２つの大当たり図柄９０、９１の間に３つの小役図柄６０、７０、８０が配置されている。
図１に示した前面扉３の表示窓１１には、リール１２毎に３個の図柄が停止表示される。すなわち、全てのリール１２が停止した状態では、表示窓１１に合計９個の図柄が停止表示される。本実施形態では、各図柄が表示される領域を「図柄表示領域」という。
【００１４】
図５は、図柄表示領域を説明するための図である。図５に示すように、図柄表示領域は、各単位領域Ｕ（Ｌ、Ｃ、Ｒ）を含んで構成される。単位領域Ｕの各々には、１個の図柄が表示される。各単位領域Ｕは、左リール１２Ｌの各図柄が表示される各単位領域ＵＬと、中リール１２Ｃの各図柄が表示される各単位領域ＵＣと、右リール１２Ｒの各図柄が表示される各単位領域ＵＲとを含んで構成される。各単位領域ＵＬは、上段に位置する単位領域ＵＬ１と中段に位置する単位領域ＵＬ２と下段に位置する単位領域ＵＬ３とを含む。また、各単位領域ＵＣは、上段に位置する単位領域ＵＣ１と中段に位置する単位領域ＵＣ２と下段に位置する単位領域ＵＣ３とを含み、各単位領域ＵＲは、上段に位置する単位領域ＵＲ１と中段に位置する単位領域ＵＲ２と下段に位置する単位領域ＵＲ３とを含む。
【００１５】
規定枚数のメダルがメダル投入部８に投入されると、有効ラインが設定される。有効ラインは、各単位領域Ｕのうちリール１２Ｌの何れか１個の単位領域Ｕとリール１２Ｃの何れか１個の単位領域Ｕとリール１２Ｒの何れか１個の単位領域Ｕとで構成される領域である。本実施形態の有効ラインは、有効ラインＡと有効ラインＢと有効ラインＣとを含む。図５に示す通り、有効ラインＡは、リール１２Ｌの単位領域ＵＬ１とリール１２Ｃの単位領域ＵＣ２とリール１２Ｒの単位領域ＵＲ３とを結ぶラインである。また、有効ラインＢは、リール１２Ｌの単位領域ＵＬ２とリール１２Ｃの単位領域ＵＣ２とリール１２Ｒの単位領域ＵＲ２とを結ぶラインであり、有効ラインＣは、リール１２Ｌの単位領域ＵＬ３とリール１２Ｃの単位領域ＵＣ３とリール１２Ｒの単位領域ＵＲ３とを結ぶラインである。
【００１６】
有効ラインには、遊技の結果としての図柄の組合せが停止表示される。有効ラインに予め定められた図柄の組合せが停止された場合、当該停止した図柄の組合せに応じて遊技者に利益が付与される。例えば、入賞に係る図柄の組合せが有効ラインに停止表示された場合は、遊技者にメダルが付与される。また、再遊技に係る図柄の組合せが有効ラインに停止表示された場合は、遊技者に再遊技の権利が付与される。具体的には、再遊技に係る図柄の組合せが今回の遊技で表示された場合、メダルの投入を必要とせず次回の遊技が開始可能になる。有効ラインに停止表示することが可能な図柄の組合せは、後述する内部抽選処理の結果に応じて遊技毎に決定される。
図１に示すように、前面扉３には、１ＢＥＴボタン２１、ＭＡＸ−ＢＥＴボタン２２、精算ボタン２３、スタートレバー２４、複数の停止ボタン２５（２５Ｌ２５Ｃ、２５Ｒ）、演出ボタン２６と方向指定ボタン２７とを含む複数の操作部が設けられる。各操作部は、遊技者により操作される。
【００１７】
＜図柄の構成例の説明＞
次に、本発明の一実施形態に係るリールテープ（リール）上における図柄の構成例について説明する。
【００１８】
本発明は、周面に沿って配列された複数種類の図柄Ｆを有し、且つ回転方向（周方向）と直交する幅方向に並列配置された回転自在な複数のリール１２Ｌ１２Ｃ、１２Ｒを備え、遊技者による所定の開始操作がなされた時に前記複数のリールを回転させるとともに、遊技者による所定の停止操作がなされた時に各リールの回転を個別に停止させることで、各リール上に停止された図柄により構成される図柄組み合わせを遊技結果として表示する遊技を実行可能な遊技機において、リールを構成するドラム部周面に装着されるリールテープ５０上の各図柄の構成、配置に特徴を有している。
更に具体的には、個々の図柄Ｆの回転方向（周方向）寸法が所定値以上となり、且つ、幅方向寸法が所定値以上となるように設計され、何れかの図柄に、当該図柄の回転方向端部、又は／及び、幅方向端部に前記所定値を計測する基準（計測の起点、或いは計測の終点）となる計測基準部をデザインとして施した構成が特徴的である。
【００１９】
以下、計測基準部（ＭＢＵ、ＭＢＤ、ＭＢＬ、ＭＢＲ）について、図６を用いて詳細に説明する。図６には、図柄Ｚの模擬図が示される。図柄Ｚは、計測基準部を説明するための図柄である。実際に本実施形態で採用される各図柄の計測基準部については後述する。
【００２０】
図６では、正面視で上下方向を各リールの周方向とする。また、図６では、正面視で左右方向を各リールの幅方向とする。本実施形態では、幅方向上で最も左側に位置する部分を当該図柄の「左端部ＬＥ」という。また、幅方向上で最も右側に位置する部分を当該図柄の「右端部ＲＥ」という。さらに、周方向上で最も上側に位置する部分を当該図柄の「上端部ＵＥ」、周方向上で最も下側に位置するを部分を当該図柄の「下端部ＤＥ」という。左端部ＬＥと右端部ＲＥと上端部ＵＥと下端部ＤＥとを総称して「端部Ｅ」と記載する場合がある。
図６に示す通り、図柄Ｚの下端部ＤＥ近傍の部分は、図柄Ｚの中心から離れるほど幅（幅方向の長さ）が狭くなり、下端部ＤＥの幅は極めて短い。以上の図柄Ｚでは、例えばリールが回転している期間においては、当該下端部ＤＥが図柄の一部として認識できない場合がある。同様に、上端部ＵＥの幅が狭すぎる場合、リールが回転している期間においては、当該上端部ＵＥが図柄Ｚの一部として認識できない場合がある。
【００２１】
本実施形態では、図柄として認識できる充分な幅を有した部位からサイズを計測することとする。具体的には、端部Ｅの幅方向寸法が２ｍｍに満たない場合には当該部位は図柄の一部として認識困難であるため、当該端部Ｅよりも図柄の中心部に近い部位であって幅方向寸法または周方向寸法が２ｍｍという基準を満たす部位を計測基準部ＭＢ（Ｌ、Ｒ、Ｕ、Ｄ）と認定し、当該計測基準部を始点および終点として図柄のサイズを計測する。
例えば、図柄Ｚを例として説明すると、下端部ＤＥより図柄の中心側に位置し、幅方向の長さが２ｍｍになる部位が計測基準部ＭＢＤとなる。また、上端部ＵＥより図柄の中心側に位置し、幅方向の長さが２ｍｍになる部位が計測基準部ＭＢＵとなる。本実施形態では、計測基準部ＭＢＤから計測基準部ＭＢＵまでの周方向の長さが２５ｍｍ以上になるように各図柄が形成される。
【００２２】
また、左端部ＬＥより図柄の中心側に位置し、周方向の長さが２ｍｍになる部位が計測基準部ＭＢＬとなる。また、右端部ＲＥより図柄の中心側に位置し、周方向の長さが２ｍｍになる部位が計測基準部ＭＢＲとなる。本実施形態では、計測基準部ＭＢＬから計測基準部ＭＢＲまでの幅方向の長さが３５ｍｍ以上になるように各図柄が形成される。
仮に、各図柄の上端部ＵＥおよび下端部ＤＥを始点および終点として計測した部分の長さが２５ｍｍとなる様に各図柄が形成される構成を想定する。以上の構成では、上端部ＵＥおよび下端部ＤＥの幅方向の幅が狭すぎる場合、計測した部分の両端（始点および終点）が視認し難くなる。以上の構成では、計測基準部ＭＢＵおよび計測基準部ＭＢＤを始点および終点として計測した部分の長さが２５ｍｍとなる様に各図柄が形成される本実施形態と比較して、図柄が実際より小さく見え、当該図柄が視認し難くなるという不都合が生じ易い。
【００２３】
また、仮に、各図柄の左端部ＬＥおよび右端部ＲＥを始点および終点として計測した部分の長さが３５ｍｍとなる様に各図柄が形成される構成を想定する。以上の構成では、左端部ＬＥおよび右端部ＲＥの周方向の幅が狭すぎる場合、計測した部分の両端（始点および終点）が視認し難くなる。以上の構成では、計測基準部ＭＢＬおよび計測基準部ＭＢＲを始点および終点として計測した部分の長さが３５ｍｍとなる様に各図柄が形成される本実施形態と比較して、図柄が実際より小さく見え、当該図柄が視認し難くなるという不都合が生じ易い。
【００２４】
以上の通り、本実施形態では、計測基準部ＭＢＵから計測基準部ＭＢＤまでの周方向の長さが２５ｍｍ以上となる様に各図柄が形成される。以上の構成では、例えば、周方向の幅が狭い（２ｍｍ未満）各端部（ＵＥ、ＤＥ）間の距離が２５ｍｍである構成と比較して、各図柄の視認性（特に各図柄が変動している場合の視認性）が確保され易い。また、以上の本実施形態では、計測基準部ＭＢＬから計測基準部ＭＢＲまでの幅方向の長さが３５ｍｍ以上となる様に各図柄が形成される。以上の構成では、例えば、幅方向の幅が狭い（２ｍｍ未満）各端部（ＬＥ、ＲＥ）間の距離が２５ｍｍである構成と比較して、各図柄の視認性が確保され易い。ただし、計測基準部ＭＢの幅は適宜に変更することができる。
【００２５】
図７はリールテープの全体形状、サイズを示す説明図である。図７に示したリールテープ５０は、幅方向の寸法が７７．１ｍｍであるが、幅方向寸法７７．１ｍｍのうち図柄形成に利用できるのは、両端から夫々４ｍｍ幅の部分を除いた７６．３ｍｍの範囲である。
【００２６】
また、リールテープの周方向全長は６１６．５ｍｍであるが、ドラム周面に固定する際に必要とされる右端部の糊代幅が２８ｍｍであるため、図柄形成領域の長手方向長（周方向長）は５８８．５ｍｍとなる。この限られた画像形成領域内に、周方向の最低長（例えば、２５ｍｍ）と幅方向の最低長（３５ｍｍ）が夫々求められる所定個数（２１個）の図柄を配置し、しかも周方向における図柄間には視認性低下を防止するために所定の周方向長を有した図柄間スペースＳ（例えば、２ｍｍ）を設ける必要がある。詳細には後述するが、図柄間スペースＳは幅方向へ延びる細幅帯状（均一な周方向長）の空所である。
即ち、糊代幅を除いた画像形成領域の長手方向全長である５８８．５ｍｍ内に２１個の図柄を周方向に沿って直列に均等に配列するとすれば、個々の図柄の周方向への占有スペース（１コマの周方向の長さ）は２８．０２３ｍｍとなる。個々の図柄に関して、周方向に隣接する他の図柄との間に２ｍｍずつの図柄間スペースＳを確保する必要があるとすれば、一つの図柄の周方向占有スペース２８．０２３の周方向端部から夫々１ｍｍずつ、合計２ｍｍを差し引いた領域（以下「図柄配置スペースＰ」という）が図柄の実体部分が専有できる周方向長（２６．０２３ｍｍ）となる。
【００２７】
以下、本実施形態における図柄間スペースＳを図８を用いて詳細に説明する。図８では、説明のため、図６に示した図柄Ｚを用いて図柄間スペースＳを説明する。図８には、リール１２に配列された図柄Ｚが示される。また、図８には、図柄Ｚの上側に配列された図柄の下端部ＤＥと図柄Ｚの下側に配列された図柄の上端部ＵＥとが示される。
【００２８】
上述した通り、１コマの周方向の長さは２８．０２３ｍｍである。本実施形態では、説明のため、各コマの境界線を「境界線ＬＫ」という。図８に示すように、図柄Ｚの上側の境界線ＬＫから下側の境界線ＬＫまでの距離が１コマの周方向の長さ（２８．０２３ｍｍ）となる。
図８に示す通り、境界線ＬＫから上側に１ｍｍの領域と下側に１ｍｍの領域とが図柄間スペースＳになる。また、各コマのうち図柄間スペースＳを除いた領域が図柄配置スペースＰになる。本実施形態では、説明のため、図柄配置スペースＰと図柄間スペースＳとの境界線を「限界線Ｌ」という。また、各コマの上側（上側の境界線ＬＫ付近）に位置する限界線Ｌを当該コマの「限界線Ｌ１」という。同様に、各コマの下側（下側の境界線ＬＫ付近）に位置する限界線Ｌを当該コマの「限界線Ｌ２」という。
例えば、図８の具体例では、図柄Ｚが配置されたコマの限界線Ｌ１と当該コマの上側のコマの限界線Ｌ２とで囲まれた領域が図柄間スペースＳになる。また、図柄Ｚが配置されたコマの限界線Ｌ２と当該コマの下側のコマの限界線Ｌ１とで囲まれた領域が図柄間スペースＳになる。
【００２９】
本実施形態の各図柄は、上端部ＵＥおよび下端部ＤＥが図柄間スペースＳの内側（図柄配置スペースＰの外側）に位置しないように各リール１２に配列される。以上の構成によれば、各図柄の上端部ＵＥと当該図柄の上側に位置する図柄の下端部ＤＥとの距離が２ｍｍ以上になる。仮に、各図柄の上端部ＵＥまたは下端部ＤＥが図柄間スペースＳに位置する構成では、各図柄が密接し、当該各図柄を区別して視認できない不都合が生じ得る。本実施形態によれば、以上の不都合を抑制することができる。
【００３０】
ところで、各図柄は、遊技機の開発段階でデザインされた後に、縮尺を適宜に変更して（拡大または縮小して）、各リール１２に形成（描画）される。例えば、開発段階でデザインされた図柄より面積を大きくしたい場合、当該図柄を拡大して各リール１２に形成する。以上の構成によれば、図柄を拡大しない構成と比較して、当該図柄のデザイン性が向上する場合がある。しかし、上述した通り、隣り合う各図柄が密接した場合、当該各図柄を区別して視認し難くなるという問題が生じる。以上の問題は、各図柄を拡大して各リール１２に形成した場合、顕在化し易いという事情がある。
【００３１】
図９（ａ）は、以上の問題を説明するための図である。図９（ａ）には、図８と同様に、図柄Ｚがリール１２に形成された場合を想定する。ただし、図９（ａ）では、図８と比較して、図柄Ｚが拡大されてリール１２に形成されている。
図９（ａ）の具体例では、図柄Ｚの上端部ＵＥが限界線Ｌ１より上側（図柄間スペースＳ内）に位置する。以上の具体例では、図柄Ｚの上側に配列された図柄の下端部ＤＥと図柄Ｚの上端部ＵＥとの周方向の距離が２ｍｍ未満になり得る。したがって、各図柄が密接することで、当該各図柄を区別して視認し難くなる問題が生じ得る。また、図９（ａ）の具体例では、図柄Ｚの下端部ＤＥが限界線Ｌ２より下側（図柄間スペースＳ内）に位置する。以上の具体例では、図柄Ｚの下側に配列された図柄の上端部ＵＥと図柄Ｚの下端部ＤＥとの周方向の距離が２ｍｍ未満になり得るため、当該各図柄を区別して視認し難くなる問題が生じ得る。
【００３２】
以上の問題を抑制するため、本実施形態では、各図柄をリール１２に配置する場合であって、当該図柄の端部Ｅが図柄間スペースＳに位置する場合（端部Ｅが図柄配置スペースＰからはみ出す場合）、図柄配置スペースＰに位置する部位で図柄を切断し、当該図柄をリール１２に配置する構成とした。
【００３３】
図９（ｂ）は、以上の本実施形態の構成を説明するための図である。図９（ｂ）では、図９（ａ）の具体例と同様に、図８に示した図柄Ｚが拡大されてリール１２に配置される。図９（ｂ）では、幅方向に並行な切断直線ＳＬより外側（図柄の中心の逆側）に位置する部分が切除された図柄Ｚがリール１２に配列される場合を想定する。図９（ｂ）に示す通り、切断直線は図柄配置スペースＰに位置する。なお、図９（ｂ）では、図柄Ｚの除かれた部分を破線で示す（実際のリール１２には設けられない）。また、本実施形態では、図柄のうち切断直線ＳＬに接する部分（切り口）を「切断部」という。
【００３４】
以上の場合、図９（ｂ）に示すように、上端部ＵＥを含む部分および下端部ＤＥを含む部分が切断（切除）されることで、図柄Ｚが図柄スペースＰ内に収まる。以上の構成によれば、拡大された図柄Ｚは、図柄間スペースＳにはみ出すことなく、リール１２に形成される。したがって、図柄Ｚと隣り合う図柄との周方向の距離が所定値（２ｍｍ）以上になり、各図柄を区別して視認し難くなる問題が抑制される。
なお、以上の図９（ｂ）では、端部Ｅのうち上端部ＵＥおよび下端部ＤＥが切除される構成を例示したが、上端部ＵＥおよび下端部ＤＥの何れか一方が切除される構成としてもよい。また、以上の図９（ｂ）では、図柄間スペースＳにはみ出す端部Ｅを切除する例を示したが、図柄間スペースＳにはみ出さない端部Ｅを適宜に切除してもよい。
【００３５】
図１０は、図柄の一部を切除する具体例を説明するための図である。図１０には、図８および図９と同様に、図柄Ｚの模擬図が示される。また、図１０には、図柄Ｚの計測基準部ＭＢＵと計測基準部ＭＢＤとが示される。上述した通り、各計測基準部ＭＢの幅方向の長さは略２ｍｍである。
【００３６】
図１０（ａ）は、図柄Ｚの下端部ＤＥが切除される具体例を示す。図１０（ａ）の具体例では、切断直線が計測基準部ＭＢＤより下側に位置する。すなわち、切断部が計測基準部ＭＢＤより下側に位置する。また、図１０（ａ）では、切断部の幅方向の長さが２ｍｍ未満である場合を想定する。以上の場合、図１０（ａ）に示す通り、切断部よりコマの中心側に位置する計測基準部ＭＢＤから計測基準部ＭＢＵまでの距離が２５ｍｍ以上になる様に図柄Ｚが形成される。
図１０（ｂ）は、図柄Ｚの下端部ＤＥが切除される他の具体例を示す。図１０（ｂ）の具体例では、計測基準部ＭＢＤで図柄Ｚを切断する場合を示す。すなわち、切断直線ＳＬが計測基準部ＭＢＤに位置する場合を示す。以上の場合、図１０（ｂ）に示す通り、切断部が計測基準部ＭＢＤとなる。したがって、図１０（ｂ）の具体例では、切断部（計測基準部ＭＢＤ）から計測基準部ＭＢＵまでの距離が２５ｍｍ以上になる様に図柄Ｚが形成される。
【００３７】
以上の通り、各図柄を拡大してリール１２に形成する場合であっても、当該図柄の上端部ＵＥまたは下端部ＤＥを適宜に切除することで、図柄配置スペースＰ内に当該図柄を配置することができる。なお、端部Ｅのうち左端部ＵＬおよび右端部ＵＲの双方または一方が切除される構成としてもよい。
【００３８】
以下、本実施形態で実際に採用される各図柄（ベル図柄、リプレイ図柄、スイカ図柄等）について図１１から図１３を用いて詳細に説明する。
上述した通り、ドラム部周面の回転移動方向（周方向）に沿って配列（描画）された所定個数（本例では、２１個）の図柄Ｆの個々の視認性の低下を防止するため、個々の図柄Ｆの周方向の最低長さについての寸法設定と、回転移動方向と直交する幅方向の最低長さについての寸法設定がなされている。つまり、個々の図柄Ｆは、遊技者の視認性の確保といったデザイン上の要請から、その周方向寸法、及び幅方向寸法の小型化に制限が設けられている。
【００３９】
更に、周方向に隣接する図柄Ｆ間が密着していたり、図柄の端部同志がオーバーラップしていると個々の視認性が低下するため、図柄間に所定幅の図柄間スペース（無図柄領域）Ｓを設けている。この図柄間スペースＳ内には隣接する何れか一方の図柄Ｆの一部さえも突出しないように完全な無図柄領域とする必要がある。無図柄領域としての図柄間スペースＳは、周方向に所定長を有し、且つ幅方向へ直線的に延びる細幅帯状の領域である。言い換えれば、図１１に示される、上・中・下位置関係にある３つの隣接する図柄Ｆ（ベル図柄）６０、図柄（リプレイ図柄）７０、図柄（スイカ図柄）８０に着目した場合、上側の図柄６０の下端部ＤＥと、中央の図柄７０の上端部ＵＥとの間に無図柄領域としての図柄間スペースＳを設ける必要がある。また、同様に中央部の図柄７０の下端部ＤＥと下側の図柄８０の上端部ＵＥとの間にも無図柄領域としての図柄間スペースＳを設ける必要がある。上記以外の他の図柄間においても同様に図柄間スペースを設ける必要がある。
【００４０】
図１１、図１２中のＬ１はリプレイ図柄の周方向長の上側の限界位置を示す限界線であり、Ｌ２はリプレイ図柄の周方向長の下側の限界位置を示す限界線である（上述した図８参照）。
大当たり図柄９０、９１は目立たせることが重要であることから大きく見せたいというデザイン上の意向があるので、図柄が周方向に占有可能な最大長である２６．０２３ｍｍのぎりぎりまで大きくしている。また、小役図柄６０、７０、８０についても少しでも大きくしたいという開発意向があるのでその周方向長を周方向に占有可能な最大長である２６．０２３ｍｍ、或いはその数値を若干下回った長さにしている。具体的には、図１１に示す通り、リプレイ図柄の大きさ（上端部ＵＥから計測基準部ＭＢＤまでの距離）は、略２６．０２３ｍｍである。なお、各図柄の大きさは適宜に変更可能である。
但し、本実施例の中央のリプレイ図柄７０においては、デザイン上重要な部位７１と、デザイン上の重要度が低い交差した二本の部位７３とが併存する。このリプレイ図柄７０ではデザイン上の理由から二本の部位７３の尖った下部先端領域７３ａ（ヒゲ状部分とも称される）が限界線Ｌ２より下側に位置する（図柄間スペースにはみ出す）。
【００４１】
この不具合を解決するために本発明では、理想的であると思われるサイズに縮尺を設定したリプレイ図柄が、その周方向端部の一部、本例で言えば部位７３の下部先端領域７３ａ（下端部７３ＤＥ）が図柄配置スペースＰ（２６．０２３ｍｍ）の下限の限界線Ｌ２を越えて下方へ突出している場合には、この限界線Ｌ２よりも下側に（図柄間スペース内Ｓに）位置する部位（被切除部＝棒状部分７３ｂと三角形部分７３ｃの一部）を切除するようにした。すなわち、以上の構成では、上述した切断直線ＬＳ（図９参照）の周方向上の位置と限界線Ｌ２の周方向上の位置とが一致する（切断直線ＬＳ＝限界線Ｌ２）。ただし、リプレイ図柄の切断直線ＬＳが限界線Ｌ２より上側に位置する構成としてもよい。
【００４２】
本実施形態では、切断直線ＳＬに沿って切断することによって得られた切断部は、周方向の長さが２ｍｍとなる様に、リプレイ図柄の縮尺が調整されている。以上の構成では、切断直線ＬＳ（限界線Ｌ２）上に位置する切断部は、当該図柄の周方向最低長を計測する際の一つの計測基準部ＭＢＤとして採用される（図１０（ｂ）と同様）。
即ち、本発明では、リプレイ図柄７０の下端部ＵＤを図柄配置スペースＰ（２６．０２３ｍｍ）内に納めるために図柄を縮小することなく、下部先端領域７３ａの適所を幅方向と平行に延びる切断直線ＳＬによって切断（切除）するようにしている。切断直線ＳＬは図柄７０の図柄配置スペースＰの下端縁（限界位置Ｌ２）に沿った直線となる。つまり、下部先端領域７３ａの切断位置を選定する一つの基準は、占有面積の周方向限界線Ｌ２に沿った位置にて切断直線ＳＬによって下部先端領域７３ａの周方向適所を切断して切断直線ＳＬよりも下側部分を除去することである。
【００４３】
このような切除処理による図柄の周方向長の調整は、大当たり図柄に比して重要度が低い小役図柄において実施し易く、デザイン上における悪影響も極限されたものとなる。
なお、本明細書において下部先端領域７３ａとは、部位７３の下端部（最先端部）７０ＤＥのみを意味せず、且つ下端部ＤＥを含み、更に下端部ＤＥよりも周方向上側の所要範囲の部位を含む概念である。本例のリプレイ図柄では、下部先端領域７３ａは、先端の細長い棒状部分７３ｂとその上側に連設された三角形状の部分７３ｃを含む。
更に、本発明では、下部先端領域７３ａの切断位置（周方向切断位置）を選定する他の基準として、切断部の幅方向長（基準切断幅）が所定値、本例では２ｍｍとなる位置で切断することを要件する。この切断部は、図柄７０の周方向長、及び図柄間スペースＳの周方向長を計測する際の計測基準部となる。切断部が所定の幅方向長（基準切断幅）を有していることにより、細いヒゲ状の下部先端領域７３ａの基準位置を目視により明確に視認可能な部位（計測基準部ＭＢ）として特定することができる。
【００４４】
このような切断幅についての基準を設ける趣旨は、先端が尖っているために最先端部の形状（幅方向寸法）が点と同視できる程度に狭い場合や、先端が尖っていなくても狭小過ぎる場合には視認性が悪いために、図柄の一部として認識することができず、図柄の周方向寸法（或いは、幅方向寸法）を計測する基準としては不適当である、との発想によるものである。即ち、点状、或いは狭小過ぎる最先端部は図柄の一部と認識できないため、図柄として認識できる充分な幅を有した部位からサイズを計測することとする。本例で言えば、最先端部の幅方向寸法が２ｍｍに満たない場合には当該部位は図柄の一部を認識できないため、最先端部よりも図柄の中心部に近い部位であって幅方向寸法が２ｍｍという基準を満たす部位を計測基準部ＭＢと認定することとなる。
【００４５】
なお、この２ｍｍという数値は、計測基準部ＭＢとなる基準切断幅の肉眼での視認性を考慮した一応の値に過ぎず絶対ではない。従って、２ｍｍでは視認性が不十分な場合には２ｍｍ以上という基準切断幅を設定することが可能である。或いは、２ｍｍ未満であってもデザインの特異性等の事情から充分に視認性を確保でき、且つ計測基準部ＭＢとして充分に利用し得る場合には基準切断幅を２ｍｍ未満としてもよい。
要するに、視認性という点で過小なサイズの細幅部分は遊技者が目視により確認しにくいため、図柄の周方向最低長（或いは、幅方向最低長）を計測する際の基準とする部位に値しない、という観点から基準切断幅の数値を選定すればよい。
【００４６】
リプレイ図柄７０の下部先端領域７３ａは、切断直線ＳＬにて切断しない場合には図１２（ａ）（ｂ）中に破線にて示したように中心線ＣＬを中心とした線対称形状となるが、同図中に実線で示すように切断直線ＳＬで切断することにより下部先端領域７３ａは中心線ＣＬを中心として線対称でなくなっている。言い換えれば、リプレイ図柄７０における計測基準部ＭＢは、計測基準部を含むこの図柄のうちの一部（下部先端領域７３ａ）のデザインを、当該一部のデザインの中心線ＣＬを中心に非線対称となるように構成した部分（デザイン）であることが特徴的である。
更に具体的には、切断直線ＳＬは棒状部分７３ｂと三角形状部分７３ｃとの境界よりも周方向上側部位、即ち三角形状部分７３ｃの先端近傍適所を中心線ＣＬと非直交状態で交差する直線で切断しているため、切断後の三角形状部分７３ｃは非線対称形状となる。
【００４７】
なお、図１２（ｃ）は周方向の各端部（ＵＥ、ＤＥ）を切除していない状態のリプレイ図柄を縮小することによって図柄全体を図柄配置スペース（周方向限界線Ｌ１、Ｌ２）Ｐ内に納めた場合のレイアウトを示している。以上のリプレイ図柄では、計測基準部ＭＢＵから計測基準部ＭＢＤまでの長さ（図６参照）が予め定められた所定値（２５ｍｍ）を下回るため、当該リプレイ図柄の視認性が確保されな可能性があるため不適当である。
図柄の幅方向の各端部（ＵＬ、ＵＲ）についても下部先端領域７３ａのような細長い部位が存在するか否かとは関係なく、幅方向の各先端部７０ＬＥ、７０ＲＥよりも図柄中心部寄り適所を周方向と平行な（垂直な）切断直線に沿って切断してもよい。
【００４８】
また、その切断された幅（周方向切断幅）が所定の基準切断幅（２ｍｍ）となるように選定されていれば、この切断部位が当該図柄の幅方向最低長を計測する際の計測基準部ＭＢとなる。例えば、図１１のリプレイ図柄７０の右端部７０ＲＥの左側寄り位置に図示した垂直な切断直線７０ＳＬＲにより図柄の幅方向適所を切断することにより周方向長が基準切断幅（２ｍｍ）という条件を満たす切断箇所である場合にはこの切断箇所を基準切断部ＭＢＲとすることができる。
【００４９】
また、図１１のリプレイ図柄７０の右端部７０ＲＥの左側に位置する切断直線７０ＳＬＲの例で説明したように、図柄の左右最端部（例えば、リプレイ図柄の左右最端部７０ＬＥ、７０ＲＥ）、或いは左右最端部よりも図柄中心位置寄りに基準切断幅を有した部位を設定できる場合（例えば、幅の細いヒゲ状部分等が存在する場合）には、ここを計測基準部ＭＢとして個々の図柄の幅方向長を計測し、当該幅方向長が所定値（３５ｍｍ）以上になる様にリプレイ図柄７０を形成することにより、例えば、当該幅方向長が所定値未満となる構成と比較して、リプレイ図柄７０の視認性が向上する。
【００５０】
＜本発明の構成、作用、効果のまとめ＞
第１の本発明に係る遊技機は、回転方向に沿って配設された複数種類の図柄を備え、且つ回転方向と直交する幅方向に並列配置された回転自在な複数のリールを備え、遊技者による所定の開始操作がなされた時に複数のリールを回転させるとともに、遊技者による所定の停止操作がなされた時に各リールの回転を個別に停止させることで、各リール上に停止された図柄により構成される図柄組み合わせを遊技結果として表示する遊技を実行可能な遊技機において、個々の図柄の回転方向寸法が予め定められた所定値以上となり、且つ、幅方向寸法が所定値以上となるように設計され、何れかの図柄には、該図柄の回転方向端部、又は／及び、幅方向端部に所定値を計測する基準となる計測基準部がデザインとして施されていることを特徴とする。
ドラム状の回転体であるリール周面には帯状のリールテープが配置されており、リールテープにはその長手方向（回転方向、周方向）に沿って所定個数の図柄が配置されている。リールテープの面積の制限から個々の図柄の周方向及び幅方向の占有寸法（占有面積）が所定の範囲内に極限される一方で、遊技者による視認性を確保するために最短周方向長、最短幅方向長が夫々所定に決められている。
【００５１】
本発明では、該図柄の周方向端部、又は／及び、幅方向端部に所定値を計測する基準となる計測基準部ＭＢがデザインとして施され、各計測基準部から計測した所定値が予め定められた数値（周方向２５ｍｍ、幅方向３５ｍｍ）以上となる様に、当該図柄を形成することで、当該図柄の視認性が確保される。
更に、具体的には図柄の周方向端部、又は／及び、幅方向端部が占有可能面積（周方向限界位置、及び幅方向限界位置）を越えて突出している場合に、当該周方向限界位置、又は／及び、幅方向限界位置に合致する周方向端部近傍位置、又は／及び、幅方向端部近傍位置で図柄を切断する。
【００５２】
第２の本発明に係る遊技機は、計測基準部ＭＢは、図柄のうちの一部のデザインを、当該一部のデザインの中心線を中心に非対称となるように構成した部分であることを特徴とする。
周方向限界位置、或いは幅方向限界位置で切断する前の図柄の端部（各限界位置を越えて突出した部位、例えば下部先端領域７３ａ）の状態が中心線を中心とした線対称形状である場合には、基準切断幅を確保しつつ各限界位置に沿った切断直線ＳＬ（限界線Ｌ１、Ｌ２）により切断することにより当該端部は中心線を中心として線対称ではなくなる。
なお、各限界位置を越えて突出した図柄部位が線対称形状でない場合にも、限界線Ｌ１、Ｌ２に相当する切断直線ＳＬによって余剰部分を切断してもよい。
【符号の説明】
【００５３】
１…遊技機、２…キャビネット、２ａ…蝶番機構、３…前面扉、５…筐体ランプ、６…腰部パネル、７…受皿ユニット、８…メダル投入部、９…メダル払出口、１０…パネル、Ｌ１、Ｌ２…周方向限界線、１１…表示窓、１２…リール、１２Ｌ１２Ｃ、１２Ｒ…リール、２１…ＢＥＴボタン、２２…ＢＥＴボタン、２３…精算ボタン、２４…スタートレバー、２５…停止ボタン、２６…演出ボタン、２７…方向指定ボタン、Ｓ…周方向占有スペース、５０…リールテープ、６０、７０、８０（Ｆ）…小役図柄、７０…リプレイ図柄、７０ＵＥ…周方向最上端部、７０ＤＥ…周方向最下端部、７０ＬＥ…左最端部、７０ＲＥ…幅方向最右端部、７０ＭＢ…計測基準部、７０ＳＬＲ…切断直線、７３ａ…下部先端領域、８０ＵＥ…最上端部、９０、９１（Ｆ）…大当たり図柄
【図１】
2017213056.tif 000003
【図２】
2017213056.tif 000004
【図３】
2017213056.tif 000005
【図４】
2017213056.tif 000006
【図５】
2017213056.tif 000007
【図６】
2017213056.tif 000008
【図７】
2017213056.tif 000009
【図８】
2017213056.tif 000010
【図９】
2017213056.tif 000011
【図１０】
2017213056.tif 000012
【図１１】
2017213056.tif 000013
【図１２】
2017213056.tif 000014
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
回転方向に沿って配設された複数種類の図柄を備え、且つ回転方向と直交する幅方向に並列配置された回転自在な複数のリールを備え、
遊技者による所定の開始操作がなされた時に前記複数のリールを回転させるとともに、遊技者による所定の停止操作がなされた時に前記各リールの回転を個別に停止させることで、前記各リール上に停止された前記図柄により構成される図柄組み合わせを遊技結果として表示する遊技を実行可能な遊技機において、
前記複数種類の図柄の各々は、第１計測基準部と第２計測基準部とを含み、
前記複数種類の図柄の各々の前記第１計測基準部から前記第２計測基準部までの回転方向の距離は、２５ｍｍ以上であり、
前記複数種類の図柄の各々の前記第１計測基準部の幅方向の長さ、および、前記第２計測基準部の幅方向の長さは、２ｍｍ以上であることを特徴とする遊技機。
【請求項２】
前記複数種類の図柄は特定図柄を含み、
前記特定図柄の中心は、当該特定図柄の前記第１計測基準部と前記第２計測基準部との間に位置し、
前記特定図柄の中心から外側方向に見た場合、前記第１計測基準部より外側に当該特定図柄の外縁の一部が位置し、
前記リールには、前記リールの幅方向に帯状に設けられるとともに何れの前記図柄も位置しない複数の図柄間スペースが設けられ、
前記複数種類の図柄の各々は、前記図柄間スペースを介して他の図柄と隣接し、
前記複数の図柄間スペース各々は、前記リールの回転方向の長さが２ｍｍ以上である
請求項１に記載の遊技機。
【手続補正２】
【補正対象書類名】明細書
【補正対象項目名】０００５
【補正方法】変更
【補正の内容】
【０００５】
上記目的を達成するため、請求項１に係る遊技機は、回転方向に沿って配設された複数種類の図柄を備え、且つ回転方向と直交する幅方向に並列配置された回転自在な複数のリールを備え、遊技者による所定の開始操作がなされた時に複数のリールを回転させるとともに、遊技者による所定の停止操作がなされた時に各リールの回転を個別に停止させることで、各リール上に停止された図柄により構成される図柄組み合わせを遊技結果として表示する遊技を実行可能な遊技機において、複数種類の図柄の各々は、第１計測基準部と第２計測基準部とを含み、複数種類の図柄の各々の第１計測基準部から第２計測基準部までの回転方向の距離は、２５ｍｍ以上であり、複数種類の図柄の各々の第１計測基準部の幅方向の長さ、および、第２計測基準部の幅方向の長さは、２ｍｍ以上であることを特徴とする。
請求項２に係る遊技機は、複数種類の図柄は特定図柄を含み、特定図柄の中心は、当該特定図柄の第１計測基準部と第２計測基準部との間に位置し、特定図柄の中心から外側方向に見た場合、第１計測基準部より外側に当該特定図柄の外縁の一部が位置し、リールには、リールの幅方向に帯状に設けられるとともに何れの図柄も位置しない複数の図柄間スペースが設けられ、複数種類の図柄の各々は、図柄間スペースを介して他の図柄と隣接し、複数の図柄間スペース各々は、リールの回転方向の長さが２ｍｍ以上であることを特徴とする。